(57)【要約】【課題】二輪車用の錠前について、キーの管理システムへの登録が確実にでき、キーを失った場合の対応を迅速にできようにした管理システムを提供することにある。【構成】二輪車の錠前１のキー３に登録番号表示２を付けて、メーカーから販売店を通して購入者に販売し、販売した二輪車の購入者は、上記キーの登録番号表示を、購入者自身からかまたは販売店からインターネットを用いて当該の錠前メーカーのサイトに登録し、キーを紛失した場合に、その紛失情報を購入者自身からかまたは販売店からインターネットを通じて錠前メーカーのサイトに入力し、錠前メーカーは、紛失したキーの登録番号表示に該当する番手を具えた新しいキーを購入者に直接かまたは販売店を経由して供給するようにした二輪車用錠前の管理システム。【選択図】        図１
2004237874.tif 000002
【特許請求の範囲】
【請求項１】
二輪車の錠前のキーに登録番号を付けて、メーカーから販売店を通して購入者に販売し、二輪車の購入者からかあるいは販売店から上記錠前のキーの登録番号を、インターネットを通じて当該の錠前メーカーのサイトに登録し、当該のキーを紛失した場合に、キーの紛失情報を購入者からかまたは販売店からインターネットを用いて上記錠前メーカーのサイトに入力し、上記錠前メーカーは、紛失したキーの登録番号に該当する番手を具えた新規のキーを上記購入者に直接かまたは上記販売店を経由して供給するようにしたことを特徴とする二輪車用錠前のキーの管理システム。
【請求項２】
前記キーの登録番号と当該の二輪車の車体番号を、前記インターネットを通じて前記錠前メーカーのサイトにそれぞれ登録し、当該の二輪車が盗難に会った場合に、上記キーの登録番号と当該の二輪車の車体番号を錠前メーカー側から検索できるようにしたことを特徴とする請求項１記載の二輪車用錠前のキーの管理システム。
【発明の詳細な説明】
【０００１】
【産業上の利用分野】
本発明は、例えば、自転車の錠前のキーを紛失した場合に、メーカーから同番手のキーを直接取り寄せられるようにした二輪車用錠前のキーの管理システムに関し、同番手の新しいキーを短期間に取り寄せられるようにしたことを特長とするものである。
【０００２】
【従来の技術】
従来の自転車の管理システムには、識別データを自転車に貼付し、登録の有無を駐輪場のゲートに備えた読み取り手段に識別させるようにしたものがある（例えば、特許文献１参照）。
また、カーディーラー、自動車整備工場、ガソリンスタンド等において顧客から預かった車に、キー番号、車種、氏名、登録番号を記載したタグを付して管理しやすくすることも行われていた（例えば、特許文献２参照）。
また、キーの取っ手部に目印とか触指で識別できる凹凸部などを設けてキーを選別できるようにしたものもある（例えば、特許文献３、４、５参照）。
また、自転車用錠前の鍵にバーコードを付けて、鍵を紛失した場合に、バーコードから管理システムで管理されている鍵を検索して、紛失した鍵と同じ番手の鍵を供給できるようにしたキーの管理システムもある（例えば、特許文献６参照）。
上記した従来のキーの管理システムでは、購入者が識別データとかバーコードの記録を失うと検索方法がなく、購入者から取次店を通じてメーカーに依頼して同番手のキーを入手するまでの時間（リードタイム）に長い時間を要し、鍵の紛失に迅速に対応できないという欠点があった。
さらに、自転車用のキーは、玄関ドア等のキーの場合と異なって、キーの複製業者によってブランクキーからの加工が嫌われたり、断られる傾向があったりして、スペアキーの作成が困難であるという社会的な事情もある。
【０００３】
【特許文献１】
特開平１０−６３９０１号公報  （第１頁、図１）
【特許文献２】
実開平６−４０２４２号公報  （第１頁、図１）
【特許文献３】
登録実用新案第３０５４８３９号公報  （第１頁、図１）
【特許文献４】
実開平号公報  （第１頁、図１）
【特許文献５】
登録実用新案第号公報  （第１頁、図１）
【特許文献６】
特開２０００−３５２２３５号公報  （第１頁、図１）
【０００４】
【発明が解決しようとする課題】
以上のことから本発明が解決しようとする課題は、二輪車用の錠前について、キーの管理システムへの登録が確実にでき、キーを失った場合の対応も迅速にできようにした新しい管理システムを提供することにある。
【０００５】
【課題を解決するための手段】
そこで本発明は、二輪車の錠前のキーに登録番号表示を付けて、メーカーから販売店を通して購入者に販売し、該二輪車の購入者からかあるいは販売店から上記錠前のキーの登録番号表示を、インターネットを通じて当該の錠前メーカーのサイトに登録し、当該のキーを紛失した場合に、キーの紛失情報を購入者からかまたは販売店からインターネットを用いて上記錠前メーカーのサイトに入力し、上記錠前メーカーは、紛失したキーの登録番号表示に該当する番手を具えた新規のキーを上記購入者に直接かまたは上記販売店を経由して供給するようにしたことを特徴とする二輪車用錠前のキーの管理システムを提供するものである。
【０００６】
上記のように管理システムを構成した本発明は、錠前メーカーへの登録が二輪車を販売あるいは購入した時点で行われる。したがって、登録忘れがほとんどなくなる。また、購入後にキーを紛失した場合のメーカーへの照会（紛失情報）は、インターネットを通じて、キーの登録番号表示をキーワードとして直接にアクセスできる。また、錠前メーカーからは紛失したキーと同番手の新規のキーが二輪車の購入者自身に直接かまたは販売店を通じて供給されるので、代替のキーの入手に要するリードタイムを短縮でき、キーを失ったことによって生ずる二輪車の使用不能期間が短期間に解消する。以上のようにして本発明は前記の課題を解決したものである。
【０００７】
また、キーの番号登録と共に、購入した二輪車の登録番号を錠前のメーカーに登録するようにした請求項２の発明によれば、車体を施錠したキーを携行している間に、二輪車が盗難に会った場合に、キーの登録情報から車体情報を検索して、盗難にあった二輪車の捜索情報を提供できる利点がある。
例えば、特に安価な自転車の場合は盗難に会っても使い捨て同然に探すことを放棄される場合が多いが、電動サポート自転車とかバイクのように高級で高価な二輪車の場合には、購入者側に盗難に会った車を探し出したいという希望が多く、盗難車探索の情報源として、二輪車の登録番号を登録する請求項２の発明が利用できる。
【０００８】
【実施例】
以下に、本発明を自転車の販売について構成した場合の実施例を図面について説明する。
図１は、実施例のフローチャート、図２は、自転車（二輪車）に備える錠前のキーに登録番号表示を付した場合を示す斜視図である。
図２において、１は、錠前本体、３は、錠前本体１の施錠機構４の鍵穴５に差し込まれたキー、２は、キー３と、キー３に取り付けたタグ６にそれぞれ表示したキー３の登録番号表示である。
【０００９】
この実施例において、図１のフローチャートに示すように、錠前メーカーから自転車に装備されて販売店（取次店）に販売される自転車に備えられる錠前本体１のキー３とタグ６とには登録番号表示２を表示しているが、何れか一方に表示する場合もある。
当該の自転車の販売者、または自転車の購入者（ユーザー）は、キー３の登録番号表示２をインターネットを通じて錠前メーカーのサイトに、購入者の登録情報として手持ちのパソコンとか、携帯電話（モバイルツール）などを用いて入力し、錠前メーカーのサイトに送信する。錠前メーカー側ではこの登録情報を記録し、保存管理する。
【００１０】
自転車の購入者（ユーザー）が購入した当該自転車のキー３を失ったときは、登録番号表示２をキーワードとして上記手持ちのパソコン等の通信手段を用いてインターネットを通じて錠前メーカーのサイトにアクセスし、登録番号表示２付きのキーの紛失情報を送信する。
紛失情報を得た錠前メーカーは、保存管理していた記録を検索して、入力された登録情報（登録番号表示２）から失われたキーの登録番号を特定し、当該のキーと同じ番手のキーを製作し、この新しいキーを直接購入者に提供するか、または、入力のあった販売店を経由して購入者に供給する。
【００１１】
なお、本管理システムのサイトに登録する登録情報の中には、キー３に表示されている登録番号表示２の他に、購入者側からの登録情報として、例えば住所、氏名、性別、年齢などを任意に入力してもらうことによって、錠前メーカー側では、よりきめ細かな情報の蓄積ができる。
また、この実施例では、数字を登録番号表示２としているが、数字の表示に変えて、文字とか記号を用いるとか、それらの媒体を組み合わせてキーを特定する場合もある。いずれの場合も、キー３が登録済みであることから購入者側には盗難に対する安心と、錠前メーカーに対する信頼関係が生ずる。
【００１２】
一方、本管理システムのサイトを持つ錠前メーカー側には、前記のようなキーの紛失情報に限らず、このインターネットを通じて、今まで交信のなかった最終のユーザーとの直接の交信（情報の交換）ができるので、それによって、メーカー側では直接的に錠前、自転車（販売品）について、紛失情報以外の要望などを情報として得る機会が多くなり、新規なマーケットリサーチが構成されるメリットがある。また、サイトへのアクセスを通じて登録者（購入者）に新製品を紹介する機会が得られるというメリットもある。
また、本管理システムへのアクセスと登録番号の入力は、購入時の販売店、購入者に限られるので錠前メーカーから不正に複製キーを入手されることが防がれ、セキュリティーについても不安はない。
以上のように、実施例では本発明を自転車のキーの管理について説明しているが、本発明管理システムをバイク等の二輪車のキーに適用できることはいうまでもない。
【００１３】
【発明の効果】
前記のように構成した本発明によれば、錠前メーカー側のキー管理システムを通じて、紛失したキーの代替のキーの迅速な供給ができ、キーを失ったことによって生ずる高級な自転車、高価なバイクの不使用期間の短縮ができるという効果がある。
【図面の簡単な説明】
【図１】図１は、本管理システムのフローチャート
【図２】図２は、実施例の錠前とキーの斜視図である。
【符号の説明】
１  錠前本体
２  登録番号表示
３  キー
４  施錠機構
５  鍵穴
６  タグ
【図１】
2004237874.tif 000003
【図２】
2004237874.tif 000004